(57)【要約】【課題】  コードの絡みを防止すると共にコードの弛みを無くしてその長さを最適にすることができるコード保持具及びそれを備えたヘッドホンを提供する。【解決手段】  第１の径の一対の第１の貫通孔（１Ａ，１Ｂ）と、第１の径より小径の第２の径の少なくとも１つの第２の貫通孔（３，５）とを備えた略偏平体であり、第１の貫通孔（１Ａ，１Ｂ）は、偏平体の外形に第１のスリット（２Ａ，２Ｂ）を介して開口し、第２の貫通孔（３，５）は、第１の貫通孔（１Ａ，１Ｂ）又は外形に第２のスリット（４，６）を介して開口し、第１の貫通孔（１Ａ，１Ｂ）に挿入され得るイヤホン（１１０ＢＬ，１１０ＢＲ）を第１の貫通孔（１Ａ，１Ｂ）で保持可能であると共に、第２の貫通孔（３，５）に係合され得るコード（１１０Ｅ）を第２の貫通孔（３，５）で保持可能なコード保持具（１００）とした。【選択図】      図５
2005064996.tif 000002
【特許請求の範囲】
【請求項１】
左右一対のイヤホンと該一対のイヤホンに信号を供給するコードとを備えたヘッドホンの前記コードを保持するコード保持具であって、
第１の径からなる一対の第１の貫通孔と、
第１の径より小径の第２の径からなる少なくとも１つの第２の貫通孔とを備えた略偏平体であり、
前記第１の貫通孔は、前記偏平体の外形に第１のスリットを介して開口し、
前記第２の貫通孔は、前記第１の貫通孔又は前記外形に第２のスリットを介して開口し、
前記第１の貫通孔に挿入され得る前記イヤホンを前記第１の貫通孔で保持可能にすると共に、前記第２の貫通孔に係合され得る前記コードを前記第２の貫通孔で保持可能とする構成にしたことを特徴とするコード保持具。
【請求項２】
左右一対のイヤホンと、
音響機器に接続されるプラグと、
前記一対のイヤホンのそれぞれと前記プラグとを接続し、前記プラグ側を一体にされた一対のコードとを備えたヘッドホンにおいて、
請求項１記載のコード保持具を前記コードに着脱自在に備え、
前記コード保持具を、前記第１の貫通孔で前記イヤホンを保持可能にすると共に前記第２の貫通孔で前記コードを保持可能とする構成にしたことを特徴とするコード保持具を備えたヘッドホン。
【発明の詳細な説明】
【技術分野】
【０００１】
本発明は、ヘッドホンのコードを保持する保持具及びそれを備えたヘッドホンに関する。
【背景技術】
【０００２】
近年、ＭＤプレーヤやＣＤプレーヤ等の携帯用音響機器が広く普及している。
この携帯用音響機器に接続するヘッドホンとしては、左耳用イヤホンと右耳用イヤホンを別体とした小型のいわゆるインナーイヤ型ヘッドホン（以下、ヘッドホンと称する）が主流である。
ところで、このヘッドホンにおいては、各イヤホンと携帯用音響機器に接続するプラグとの間を連結するコードが絡み易く、この絡みを防止する構造を有するヘッドホンが各種提案されてきている。その一例として、特許文献１に記載されたヘッドホンがある。
このヘッドホンは、収納時のコードの絡みを防止するため、右耳用イヤホン及び左耳用イヤホンを固定する固定具を備えて成るものである。
【特許文献１】特開平９−３６７９８１号公報（段落番号００１３，図５参照）
【発明の開示】
【発明が解決しようとする課題】
【０００３】
ところで、このコードに関しては、絡むという問題の他に以下に示すような弛みが生じるという問題があった。
携帯型音響機器を携帯する場合、手や肩に下げたバッグの中や、あるいは、上着のポケットの中等、自由な位置に携帯する。従って、その携帯型音響機器と耳との距離が様々となるので、ヘッドホンのコードは、いずれの使用形態においても充分な長さが得られるようにかなり長めのコードを備えている。
【０００４】
そのため、上着のポケット等の耳の近くに携帯型音響機器を携帯した場合、コードは大きく弛んでしまい、使用時に極めて煩わしくなるものであった。
また、他人の持ち物にひっかかる等の不具合があった。
【０００５】
この弛みが無く、使用時に最適な長さのコードのヘッドホンを提供しようとすると、様々な長さのコードを有するヘッドホンを数種類作成して提供する必要があり、部品の共用化が妨げられコストアップになるものであった。
また、弛みを無くして最適な長さにすることができる別部品を装着する必要があり、この場合もコストアップになるものであった。
【０００６】
そこで、本発明が解決しようとする課題は、コードの絡みを防止すると共にコードの弛みを無くしてその長さを最適にすることができるコード保持具及びそれを備えたヘッドホンを提供することにある。
【課題を解決するための手段】
【０００７】
上記の課題を解決するために、本願発明は手段として次の構成を有する。
即ち、請求項１に係る発明は、左右一対のイヤホン（１１０ＢＬ，１１０ＢＲ）と該一対のイヤホンに信号を供給するコード（１１０Ｅ）とを備えたヘッドホンの前記コード（１１０Ｅ）を保持するコード保持具であって、
第１の径からなる一対の第１の貫通孔（１Ａ，１Ｂ）と、第１の径より小径の第２の径からなる少なくとも１つの第２の貫通孔（３，５）とを備えた略偏平体であり、前記第１の貫通孔（１Ａ，１Ｂ）は、前記偏平体の外形に第１のスリット（２Ａ，２Ｂ）を介して開口し、前記第２の貫通孔（３，５）は、前記第１の貫通孔（１Ａ，１Ｂ）又は前記外形に第２のスリット（４，６）を介して開口し、前記第１の貫通孔（１Ａ，１Ｂ）に挿入され得る前記イヤホン（１１０ＢＬ，１１０ＢＲ）を前記第１の貫通孔（１Ａ，１Ｂ）で保持可能にすると共に、前記第２の貫通孔（３，５）に係合され得る前記コード（１１０Ｅ）を前記第２の貫通孔（３，５）で保持可能とする構成にしたことを特徴とするコード保持具（１００，１００Ｂ，１００Ｃ）である。
【０００８】
また、請求項２に係る発明は、左右一対のイヤホン（１１０ＢＬ，１１０ＢＲ）と、音響機器に接続されるプラグ（１１０Ａ）と、前記一対のイヤホン（１１０ＢＬ，１１０ＢＲ）のそれぞれと前記プラグ（１１０Ａ）とを接続し、前記プラグ側を一体にされた一対のコード（１１０Ｅ）とを備えたヘッドホンにおいて、
請求項１記載のコード保持具（１００，１００Ｂ，１００Ｃ）を前記コード（１１０Ｅ）に着脱自在に装着して成り、前記コード保持具（１００，１００Ｂ，１００Ｃ）を、前記第１の貫通孔（１Ａ，１Ｂ）で前記イヤホン（１１０ＢＬ，１１０ＢＲ）を保持可能にすると共に前記第２の貫通孔（３，５）で前記コード（１１０Ｅ）を保持可能とする構成にしたことを特徴とするコード保持具を備えたヘッドホン（１１０，１２０）である。
【発明の効果】
【０００９】
本発明によれば、コードの絡みを防止できると共にコードの長さを最適化できるという効果を奏する。
【発明を実施するための最良の形態】
【００１０】
本発明の実施の形態を、好ましい実施例により図１〜図５を用いて説明する。
図１は、本発明のコード保持具の実施例を示す図である。
図２は、本発明のコード保持具を備えたヘッドホンの実施例を示す外観図である。
図３は、本発明のコード保持具を備えたヘッドホンの実施例における効果を説明する図である。
図４は、本発明のコード保持具の他の実施例を説明する図である。
図５は、本発明の他の実施例のコード保持具を備えたヘッドホンを説明する図である
【実施例１】
【００１１】
本発明の実施例１のコード保持具１００の三面図を図１に示す。図１（Ａ）がその正面図であり、図１（Ｂ）が断面図であり、図１（Ｃ）が側面図である。
このコード保持具１００は、中央部が最も肉厚とされた略楕円体の形状に形成されている。
そして、中心に対して略対象に、後述するように、イヤホン本体を強嵌合で保持可能な一対の貫通孔１Ａ，１Ｂが形成され、それぞれの貫通孔と外形とを連結するスリット２Ａ，２Ｂが形成されている。
このスリット２Ａ，２Ｂが外形に連結する部分は、面取り２Ａ１，２Ｂ１が形成されている。
【００１２】
このコード保持具１００の略中心には、後述するように、ヘッドホンのコードを強嵌合で係止して保持可能とする径の貫通孔である第１のコード保持孔３が形成され、この第１のコード保持孔３と一方の貫通孔１Ａとがスリット４で連結されている。
このコード保持具１００は、周知のエラストマ樹脂で形成される。従って、このコード保持具１００は弾性変形が可能であり、各スリット２Ａ，２Ｂ，４にヘッドホンの各コード１１０ＣＬ，１１０ＣＲ，１１０Ｅを通してこれを通過させたり、貫通孔１Ａ，１Ｂにイヤホン本体を強嵌合で弾性的に保持することができる。
【００１３】
次に、上述したコード保持具１００を備えたヘッドホン１１０の実施例について図２を 用いて説明する。
このヘッドホン１１０は、携帯用音響機器１０１のヘッドホン用端子１０１Ａに接続するプラグ１１０Ａと、左耳用イヤホン１１０ＢＬと、右耳用のイヤホン１１０ＢＲと、これらのイヤホン１１０ＢＬ，１１０ＢＲのそれぞれとプラグ１１０Ａとを接続するコード１１０ＣＬ，１１０ＣＲとを備えている。このコード１１０ＣＬ，１１０ＣＲによりイヤホン１１０ＢＬ，１１０ＢＲには電気信号が供給される。
また、このコード１１０ＣＬ，１１０ＣＲは、連結具１１０Ｄにより連結され、この連結具１１０Ｄとプラグ１１０Ａ間は一体化された一本のコード１１０Ｅとされている。コード１１０ＣＬとコード１１０ＣＲとの長さは異なっていてもよい。
【００１４】
上述したコード保持具１００は、例えば、コード１１０Ｅがスリット４を通過されて第１のコード保持孔３に保持されている。これによりコード保持具１００はコード１１０Ｅに係止される。このコード保持具１００は、コード１１０Ｅに対して着脱自在であり、紛失防止や取り扱いの利便性からコード１１０Ｅに装着して使用可能なように形成されている。
【００１５】
図３を用いてこの実施例１の効果について説明する。
図３（Ａ）は、実施例１のヘッドホンを収納する際に、コード保持具１００の貫通孔１Ａ，１Ｂのそれぞれに各イヤホン１１０ＢＬ，１１０ＢＲを保持した状態を示している。
【００１６】
各イヤホン１１０ＢＬ，１１０ＢＲを各貫通孔１Ａ，１Ｂに装着する際は、まずコード１１０ＣＬ，１１０ＣＲをスリット２Ａ１，２Ｂ１に通してこれを通過させてから、図の上方よりイヤホン１１０ＢＬ，１１０ＢＲを貫通孔１Ａ，１Ｂに装着する。
この収納形態において、イヤホン１１０ＢＬ，１１０ＢＲは一体化されているのでコード１１０ＢＬ，１１０ＢＲが絡むのを防止することができる。
【００１７】
図３（Ｂ）は、ヘッドホンの使用状態において、コードの弛みをなくしコード長さを最適化した状態の一例を示す。
上述したように、コード１１０Ｅは、第１のコード保持孔３に保持されている。
ここで、コード１１０Ｅの弛み分に相当する長さ（図のＬに略相当）を折り返してスリット２Ｂ１を通過させ、貫通孔１Ｂと外形との間で数回巻回する。エラストマ樹脂表面は摩擦抵抗が大きいので、数回巻回することで巻回したコードはコード保持具１００に保持される。
これにより、コードの弛みを無くし、コード長を最適化することができる。もちろん、巻回するのは貫通孔１Ａの方であってもよく、両貫通孔１Ａ，１Ｂに跨るように巻回してもよい。
【実施例２】
【００１８】
コード保持具の実施例２として、第１のコード保持孔３と独立した第２のコード保持孔５を形成し、スリット６を介してこの第２のコード保持孔５と外形とを連結したコード保持具１００Ｂとしてもよい。これを図４（Ａ）に示す。
このコード保持具１００Ｂは、ヘッドホンのコードを強嵌合で保持可能とする径の貫通孔である第１のコード保持孔３が形成され、この第１のコード保持孔３と一方の貫通孔１Ａとがスリット４で連結されている。
さらに、上述した第１のコード保持孔３とは独立した第２のコード保持孔５がコード保持具１００Ｂの外形とスリット６で連結されている。
【００１９】
このコード保持具１００Ｂは、周知のエラストマ樹脂で形成される。従って、このコード保持具１００Ｂは弾性変形が可能であり、各スリット２Ａ，２Ｂ，４，６に各ヘッドホンのコード１１０ＣＬ，１１０ＣＲ，１１０Ｅを通してこれを通過させたり、貫通孔１Ａ，１Ｂにイヤホン本体を強嵌合で弾性的に保持することが可能である。
【００２０】
上述したコード保持具１００Ｂを備えたヘッドホン１２０の実施例を図２に示す。例えば、コード１１０Ｅがスリット４を通過されて第１のコード保持孔３に保持されている。これによりコード保持具１００Ｂはコード１１０Ｅに係止される。このコード保持具１００Ｂは、コード１１０Ｅに対して着脱自在であり、紛失防止や取り扱いの利便性からコード１１０Ｅに装着して使用できるように形成されている。
【００２１】
次に、図５を用いて、上述したコード保持具１００Ｂを備えたヘッドホン１２０における作用を説明する。
図５（Ａ）は、ヘッドホン１２０の使用状態において、コードの弛みをなくしコード長さを最適化した状態の一例を示す。
上述したように、コード１１０Ｅは、第１のコード保持孔３に保持されている。
ここで、コード１１０Ｅの弛み分に相当する長さ（図のＬに略相当）を折り返してスリット６を通過させ、第２のコード保持孔５で保持されるようにする。これにより、コードの弛みを無くし、コード長を最適化することができる。
【００２２】
さらに、この実施例２は、コードの絡みを防止しつつコード長を短くしてコンパクトに収納することが可能である。
図５（Ｂ）は、実施例２のヘッドホン１２０を収納する際に、コード保持具１００Ｂの貫通孔１Ａ，１Ｂのそれぞれに各イヤホン１１０ＢＬ，１１０ＢＲを保持し、さらにコード１１０Ｅを折り返して第２のコード保持孔５に保持させた状態を示している。
【００２３】
各イヤホン１１０ＢＬ，１１０ＢＲを各貫通孔１Ａ，１Ｂに装着する際は、まずコード１１０ＣＬ，１１０ＣＲをスリット２Ａ１，２Ｂ１に通してこれを通過させてから、図の上方よりイヤホン１１０ＢＬ，１１０ＢＲを貫通孔１Ａ，１Ｂに装着する。
この収納形態において、イヤホン１１０ＢＬ，１１０ＢＲは一体化されているのでコード１１０ＢＬ，１１０ＢＲが絡むのを防止することができる。
【００２４】
さらに、コード１１０Ｅを任意の長さＬの分だけ折り返し、スリット６を通過させて第２のコード保持孔５に保持させる。
このような形態で収納することで、コードの絡みを防止できるとともに、コード長さを短くしてコンパクトなサイズで収納することができる。
【００２５】
第１及び第２のコード保持孔３，５は、上述した位置に形成されることに限るものではない。図４（Ｂ）に示すように、貫通孔１Ａ，１Ｂとは独立してそれぞれ外形からスリット４Ｃ，６を介して形成したコード保持孔３Ｃ，５としたコード保持具１００Ｃとしてもよい。
【００２６】
また、コード保持孔３，５を形成せずにスリット４，６だけを形成してもよいが、コードをこのスリット４，６で挟持すると、スリットの幅がコード径に対して狭いのでスリット４，６の変形量が大きくなってコード保持具への負荷が大きくなるので、コード保持孔４，６を形成しその孔でコードを保持することが望ましい。
【００２７】
上述した各スリット２Ａ，２Ｂ，４，６の幅は、コードの外径より小さければよい。従って、この幅は、貫通孔（２Ａ，２Ｂ），第１及び第２のコード保持孔（３，５）の外径と略同じになる程度まで広く設定することができるが、コードを通過させ易く、かつ、外れ難くするために、コード外径の略半分の幅とするのがよい。
また、切り込みだけを設けて通常は開口していないスリットとしてもよいが、
コードを通過させる際の力が大きくなり入れ難い場合があるので、上述の幅で開口させるのがよい。
【００２８】
本発明の実施例は、コード保持具がヘッドホンに対して着脱自在であるので、例えば、様々な色のコード保持具を形成しておき、着ている衣服の色に合わせた色のコード保持具を選択してこれをヘッドホンに装着することでファッションコーディネートが可能である。
また、予期せずコード保持具が破損した場合も、ヘッドホン全体を修理あるいは交換することなく、コード保持具だけ取り替えることが可能なので維持費用も低減される使い勝手が極めてよい。
【００２９】
以上、詳述した本発明の実施例は、上述の構成に限定されるものではなく、本発明の要旨を逸脱しない範囲において変形例としてもよいものである。
【図面の簡単な説明】
【００３０】
【図１】本発明のコード保持具の実施例を示す図である。
【図２】本発明のコード保持具を備えたヘッドホンの実施例を示す外観図である。
【図３】本発明のコード保持具を備えたヘッドホンの実施例を説明する図である。
【図４】本発明のコード保持具の他の実施例を説明する図である。
【図５】本発明の他の実施例のコード保持具を備えたヘッドホンを説明する図である。
【符号の説明】
【００３１】
１Ａ，１Ｂ  貫通孔
２Ａ，２Ｂ，４，６  スリット
３  第１のコード保持孔
５  第２のコード保持孔
１００，１００Ｂ，１００Ｃ  コード保持具
１１０，１２０  ヘッドホン
１１０Ａ  プラグ
１１０ＢＬ  左耳用イヤホン
１１０ＢＲ  右耳用イヤホン
１１０ＣＬ，１１０ＣＲ  コード
１１０Ｄ  連結具
１１０Ｅ  （一体化された）コード
【図１】
2005064996.tif 000003
【図２】
2005064996.tif 000004
【図３】
2005064996.tif 000005
【図４】
2005064996.tif 000006
【図５】
2005064996.tif 000007